(57)【特許請求の範囲】
【請求項１】
給湯熱交換器の加熱燃焼を行う給湯バーナと、追い焚き熱交換器の加熱燃焼を行う風呂バーナと、前記給湯バーナと風呂バーナへ供給する燃料量を開弁量によって制御する共通の比例弁と、風呂バーナ燃焼を行う追い焚き時に風呂の湯水を追い焚き熱交換器を通し循環させる循環ポンプと、前記比例弁の開弁量制御やポンプ駆動の制御を行う制御装置とを備え、給湯バーナ燃焼と風呂バーナ燃焼が共に行われるときには給湯側を優先させ比例弁の開弁量制御を行う複合給湯器において、追い焚き熱交換器の出側の湯水の温度を検出する追い焚き熱交換器出側温度センサと；追い焚き熱交換器の結露発生直前の温度に対応した追い焚き熱交換器の出側のポンプオフ温度とこのポンプオフ温度より予め設定された温度だけ高い追い焚き熱交換器の出側のポンプオン温度が格納されるデータ格納部と；給湯バーナと風呂バーナの同時燃焼が行われているときに追い焚き熱交換器出側温度センサが検出した検出追い焚き熱交換器出側湯温と前記データ格納部に格納されている温度データを比較し、検出追い焚き熱交換器出側湯温がポンプオフ温度以下であると判断したときにポンプオフ信号を出力して風呂バーナの燃焼を継続したまま循環ポンプをオフさせ、その循環ポンプのオフ期間中に検出追い焚き熱交換器出側湯温がポンプオン温度以上であると判断したときにポンプオン信号を出力し、循環ポンプのオン・オフ間欠運転を行わせるポンプ間欠運転制御部と；を有する複合給湯器。
【請求項２】
給湯熱交換器の加熱燃焼を行う給湯バーナと、追い焚き熱交換器の加熱燃焼を行う風呂バーナと、前記給湯バーナと風呂バーナへ供給する燃料量を開弁量によって制御する共通の比例弁と、風呂バーナ燃焼を行う追い焚き時に風呂の湯水を追い焚き熱交換器を通し循環させる循環ポンプと、前記比例弁の開弁量制御やポンプ駆動の制御を行う制御装置とを備え、給湯バーナ燃焼と風呂バーナ燃焼が共に行われるときには給湯側を優先させ比例弁の開弁量制御を行う複合給湯器において、追い焚き熱交換器の出側の湯水の温度を検出する追い焚き熱交換器出側温度センサと；追い焚き熱交換器の結露発生直前の温度に対応した追い焚き熱交換器の出側のポンプオフ温度とこのポンプオフ温度より高い追い焚き熱交換器の出側のポンプオン温度が格納されるデータ格納部と；給湯バーナと風呂バーナの同時燃焼が行われているときに追い焚き熱交換器出側温度センサが検出した検出追い焚き熱交換器出側湯温と前記データ格納部に格納されている温度データを比較し、検出追い焚き熱交換器出側湯温がポンプオフ温度以下であると判断したときにポンプオフ信号を出力して風呂バーナの燃焼を継続したまま循環ポンプをオフさせ、その循環ポンプのオフ期間中に検出追い焚き熱交換器出側湯温がポンプオン温度以上であると判断したときにポンプオン信号を出力し、循環ポンプのオン・オフ間欠運転を行わせるポンプ間欠運転制御部と；風呂バーナ燃焼の追い焚き熱量を検出する追い焚き熱量検出部と；この追い焚き熱量検出部が検出した追い焚き熱量に基づいて追い焚き熱量が大きくなるに従ってポンプオン温度を下げる方向にポンプオン温度を可変設定し前記データ格納部に格納されているポンプオン温度を自動更新するポンプオン温度自動更新部と；を有する複合給湯器。
【請求項３】
ポンプ間欠運転制御部から出力されるポンプオン信号の出力期間が時間によって予め与えられ、ポンプ間欠運転制御部はポンプオン信号を上記出力期間が経過するまで継続して出力し、その出力期間が経過したときにポンプオン信号からポンプオフ信号の出力に切り換える構成としたことを特徴とする請求項１又は請求項２記載の複合給湯器。
【請求項４】
風呂バーナ燃焼の追い焚き熱量を検出する追い焚き熱量検出部を備え、この追い焚き熱量検出部が検出した追い焚き熱量に基づいて追い焚き熱量が大きくなるに従ってポンプオン信号の出力期間を長くする方向にポンプオン信号の出力期間を可変設定して自動更新するポンプオン信号出力期間自動更新部を有する構成としたことを特徴とする請求項３記載の複合給湯器。
【請求項５】
循環ポンプ駆動による追い焚き熱交換器の流水を検出する流水検出センサと、該流水検出センサが流水オフを検出したときに風呂バーナの燃焼を停止させる風呂バーナ燃焼停止部とを有し、ポンプ間欠運転制御部によるポンプ間欠運転のオフ時に前記流水検出センサが流水オフを検出しても前記風呂バーナ燃焼停止部の風呂バーナ燃焼停止動作を阻止する燃焼停止動作阻止部を設けたことを特徴とする請求項１乃至請求項４のいずれか１つに記載の複合給湯器。
【発明の詳細な説明】
【０００１】
【発明の属する技術分野】
本発明は、給湯バーナと風呂バーナを備えた複合給湯器に関するものである。
【０００２】
【従来の技術】
図７には複合給湯器（器具）のシステム構成の一例が示されている。同図において、器具１内には仕切り部２を介して、給湯燃焼室３と、風呂燃焼室４とに区画されており、給湯燃焼室３には給湯バーナ５が設けられ、風呂燃焼室４には風呂バーナ６が設けられている。
【０００３】
前記給湯バーナ５と風呂バーナ６は仕切り部２を介して並設されており、各バーナ５，６のガス導入口側には、ガスノズルを対向させてガスノズルホルダ12，13がそれぞれ配置され、ガスノズルホルダ12，13に通じるガス供給通路36には、元電磁弁37と比例弁38が設けられており、比例弁38の下流側のガス供給通路36を分岐させてそれぞれ給湯側ガス開閉弁39、風呂側ガス開閉弁40を介してガスノズルホルダ12，13に燃料であるガスが導かれる。給湯バーナ５と風呂バーナ６の下方側は共通の空気チャンバ（空気室）７となっており、この空気チャンバ７の底面側には給排気用の燃焼ファン８が連設されている。この燃焼ファン８にはファン回転数を検出するファン回転数検出センサ17が設けられている。
【０００４】
前記給湯燃焼室３には、給湯バーナ５の上方側に給湯熱交換器15が設置されており、この給湯熱交換器15は、水道等の水供給源から給水通路19を介して導入される水を、給湯バーナ５の燃焼火炎によって加熱して設定温度の湯を作り出し、この湯を、給湯熱交換器15の出側に接続される給湯通路20を介して台所や浴室等の所望の給湯場所に導き出湯を行う。なお、図中、30は入水温度センサ、31は出湯温度センサを示しており、これらのセンサによって給湯熱交換器15への入水温度と給湯熱交換器15からの出湯温度とがそれぞれ検出される。また、41は水供給源から給湯熱交換器15に供給される水の流量を検出する流量センサを示している。
【０００５】
前記風呂燃焼室４には前記風呂バーナ６の上方側に追い焚き熱交換器16が設置されており、この追い焚き熱交換器16の入口側には管路22の一端側が接続され、管路22の他端側は循環ポンプ23の吐出側に接続されている。この管路22には追い焚き熱交換器16の入側の通水温度を検出するサーミスタ等の風呂温度センサ（入側温度センサ）24が設けられている。
【０００６】
循環ポンプ23の吸込側には戻り管26が接続されており、戻り管26の戻り口側（入口側）は浴槽21の側壁に循環金具27を介して接続されている。この戻り管26には通水を検知してオン信号を出力するフローセンサや流水スイッチ等で構成される流水検出センサ28が設けられている。追い焚き熱交換器16の出口側には往管29の入口側が接続されており、往管29の出口側は循環金具27を介して浴槽21の側壁に接続されている。前記戻り管26と管路22と追い焚き熱交換器16と往管29は循環金具27を介して浴槽21の湯水の循環を行う追い焚き循環路25を構成し、追い焚き熱交換器16は、浴槽からの循環湯水を導入して風呂バーナ６の燃焼火炎によって加熱し、この加熱した湯を浴槽21に戻すことで、風呂の追い焚きを行う。風呂燃焼室４および前記給湯燃焼室３は、共に、共通の排気口42に連通しており、給湯バーナ５の排気ガスと風呂バーナ６の排気ガスとが共通の排気口42から排出されるようになっている。
【０００７】
前記給湯通路20には湯張り用管32が分岐されて管路22と接続されており、この湯張り用管32には、注湯制御弁としての注湯弁35と、浴槽水位を検出する水位検出センサとしての圧力センサ34とが設けられている。
【０００８】
なお、図中、44は追い焚き熱交換器16の出側湯温を検出する追い焚き熱交換器出側温度センサである出側温度センサを示し、45は燃焼ファン８のファン風量を検出するファン風量検出センサを示している。
【０００９】
この種の複合給湯器には、給湯バーナ燃焼および風呂バーナ燃焼等の制御を行う制御装置56が設けられており、制御装置56にはリモコン55が接続されている。この制御装置56には、前記流量センサ41等の様々なセンサからの信号や、リモコン55の情報が加えられるようになっており、例えば、給湯通路20が導かれている台所等の給湯場所に設けられた給湯栓（図示せず）が開かれ、水道等の水供給源から給水通路19に水が導入されると、制御装置56は流量センサ41から入水信号を受けたときに燃焼ファン８を回転し、ガス供給通路36の元電磁弁37と比例弁38と給湯側ガス開閉弁39を開き、その状態で給湯バーナ５の点着火を行い、炎を検知した以降に、出湯温度センサ31で検出される出湯温度がリモコン55で設定される設定温度となるように給湯モードでの給湯運転を制御する。
【００１０】
この給湯運転の制御に際し、前記制御装置56には、予め、給湯燃焼の最小燃焼時の燃焼能力（最小燃焼能力）と最大燃焼時の燃焼能力（最大燃焼能力）とが与えられており、制御装置56は、前記最小燃焼能力から最大燃焼能力までの範囲内で給湯バーナ燃焼が行われるように、ガス供給通路36から給湯バーナ５への供給ガス量、つまり、比例弁38の開弁量（比例弁電流量）と、燃焼ファン８から給湯バーナ５への供給空気量を制御し、これらの制御により、安定した設定温度の湯が給湯熱交換器15から給湯通路20を経て所望の給湯場所に供給されるようにしている。
【００１１】
前記制御装置56は、電磁弁等の注湯弁35を開けることにより、給湯熱交換器15側で作り出した湯を追い焚き循環路25を介して浴槽21内に落とし込んで湯張りを行う湯張りモードの運転動作機能を備えている。この自動湯張り動作はリモコン55等の指令により行われ、圧力センサ34により湯張りの水位がリモコン55等で設定される設定水位に達したときに注湯弁35が閉じられて湯張りの停止が行われ、次に循環ポンプ23を起動して追い焚きモードでの運転が行われるものである。
【００１２】
この追い焚き運転に際して、制御装置56は、まず、追い焚き循環路25の循環ポンプ23を回転させて、浴槽21内の湯水を追い焚き循環路25を介して循環させる。そして、流水検出センサ28が湯水の流れを検知したときに、制御装置56は燃焼ファン８を回転し、風呂側ガス開閉弁40を開き、点着火により風呂バーナ６を燃焼させて追い焚き熱交換器16を通る循環湯水を加熱して浴槽21内の湯水の追い焚きを行う。
【００１３】
なお、この追い焚き単独運転制御に際し、通常、制御装置56には最大燃焼能力の値が与えられており、この最大燃焼能力に対応させたファン回転数で燃焼ファン８の回転を行い、風呂バーナ６のバーナ燃焼を行って、できるだけ早く追い焚きが行われるようにする。そして、風呂温度センサ24で検出される風呂温度がリモコン55によって設定される風呂設定温度（沸き上がり温度）に達したときに追い焚き運転を停止する。
【００１４】
この種の複合給湯器においては、追い焚き運転の終了時から所定の時間（例えば４時間）にかけて保温モードに移り、この保温モードでは、例えば30分等の時間間隔で循環ポンプ23を起動して浴槽湯水を追い焚き循環路25を通して循環し、このとき風呂温度センサ24で検出される浴槽湯水の温度が風呂設定温度に対し、所定の温度を越えて低下したときには、風呂バーナ６を燃焼して浴槽湯水の温度を設定温度に高める等の動作を行って浴槽湯水の保温を行う。この保温動作において、水位保持機能を備えた風呂装置のものにあっては、保温モードの期間中、常に、圧力センサ34の水位検出信号によって浴槽水位を監視し、浴槽水位が設定水位から許容範囲を越えて低下したときには、注湯弁35を開けて設定水位までの不足分の水量を給湯熱交換器15側から足し湯し、浴槽水位を設定水位に保持する保水モードでの動作を行う。
【００１５】
【発明が解決しようとする課題】
図７に示すように、給湯バーナ５と風呂バーナ６を備え、給湯バーナ５と風呂バーナ６に対して共通の比例弁38が設けられている複合給湯器においては、通常、台所やシャワー等へ給湯を行うための給湯バーナ燃焼と風呂の追い焚きや保温を行うための風呂バーナ燃焼が共に行われる場合には、給湯側を優先させて比例弁38の開弁量（比例弁電流量）制御が行われ、高温の湯が台所やシャワー等へ出湯するのを防止して湯の利用者の体に火傷を負わせる危険を回避している。
【００１６】
上記のように、給湯バーナ燃焼と風呂バーナ燃焼が給湯側優先の制御により行われているときに（給湯バーナと風呂バーナの同時燃焼時に）、例えば、給湯バーナ５の燃焼能力が低下する方向に比例弁38の開弁量が絞られると、必然的に風呂バーナ６の燃焼能力も低下する。このように風呂バーナ６の燃焼能力が低下しても、追い焚き熱交換器16には風呂バーナ６の最大燃焼時と変わらぬ一定の通水量の湯水が循環ポンプ23の駆動により流れているために、風呂バーナ６は燃焼熱不足により追い焚き熱交換器16の通水を十分に加熱することができなくなり、追い焚き熱交換器16の通水は温度が上昇しにくくなって追い焚き熱交換器16の水管表面の温度が低下し、風呂バーナ６の燃焼により発生した水蒸気が追い焚き熱交換器16の水管表面に結露し易くなる。このような追い焚き熱交換器16の結露現象が繰り返し発生すると、追い焚き熱交換器16が腐蝕する等の弊害が発生する。
【００１７】
上記追い焚き熱交換器16の結露発生を防止するために、実開平２−１２４４４２号公報には、風呂バーナ６の燃焼能力が設定値以下となったときに循環ポンプ23の駆動量（能力）を減少させて追い焚き熱交換器16の通水量を一定量減少させて、追い焚き熱交換器16の出側湯温を上昇させ、つまり、追い焚き熱交換器16の水管表面温度を上昇させ、追い焚き熱交換器16の結露発生を防止する手段が提案されている。
【００１８】
しかしながら、周知のように、循環ポンプ23はトライアック等を用いた位相角制御手法等により駆動制御が行われており、このような位相角等のポンプ駆動制御手法を用いて循環ポンプ23の連続流量を可変制御する回路構成は複雑になるという問題がある。また、一般的に循環路中にオリフィス等を入れて出荷された器具を現場の状況に合わせてオリフィスを外したり循環能力の高いポンプに交換することもあり、上記のように循環ポンプ23の連続流量を可変制御するためには、循環ポンプ23の設定・種類（能力）毎にそれぞれ対応する複雑な連続流量可変制御回路を作製しなければならず、このため、回路のコストが高くなるという問題もある。また、上記位相角制御においては、ポンプ能力を下げていくとポンプ取付部を中心に器具自体にねじり運動が発生し易く、このねじれ運動が器具の振動（騒音）の発生源となるので位相角制御による結露防止のためのポンプ能力ダウンは新たな振動（騒音）発生の原因となり易い。
【００１９】
本発明は上記課題を解決するためになされたものであり、その目的は、給湯バーナと風呂バーナの同時燃焼に起因して風呂バーナの燃焼能力が低下し追い焚き熱交換器が結露発生直前状態となったときに、追い焚き循環用のポンプの連続流量を可変制御せずに、追い焚き熱交換器の結露発生を防止することができ、かつ、制御回路の回路構成の簡易化が可能な追い焚き熱交換器の結露防止機能を備えた複合給湯器を提供することにある。
【００２０】
【課題を解決するための手段】
上記目的を達成するために本発明は次のような構成をもって前記課題を解決する手段としている。すなわち、第１の発明は、給湯熱交換器の加熱燃焼を行う給湯バーナと、追い焚き熱交換器の加熱燃焼を行う風呂バーナと、前記給湯バーナと風呂バーナへ供給する燃料量を開弁量によって制御する共通の比例弁と、風呂バーナ燃焼を行う追い焚き時に風呂の湯水を追い焚き熱交換器を通し循環させる循環ポンプと、前記比例弁の開弁量制御やポンプ駆動の制御を行う制御装置とを備え、給湯バーナ燃焼と風呂バーナ燃焼が共に行われるときには給湯側を優先させ比例弁の開弁量制御を行う複合給湯器において、追い焚き熱交換器の出側の湯水の温度を検出する追い焚き熱交換器出側温度センサと；追い焚き熱交換器の結露発生直前の温度に対応した追い焚き熱交換器の出側のポンプオフ温度とこのポンプオフ温度より予め設定された温度だけ高い追い焚き熱交換器の出側のポンプオン温度が格納されるデータ格納部と；給湯バーナと風呂バーナの同時燃焼が行われているときに追い焚き熱交換器出側温度センサが検出した検出追い焚き熱交換器出側湯温と前記データ格納部に格納されている温度データを比較し、検出追い焚き熱交換器出側湯温がポンプオフ温度以下であると判断したときにポンプオフ信号を出力して風呂バーナの燃焼を継続したまま循環ポンプをオフさせ、その循環ポンプのオフ期間中に検出追い焚き熱交換器出側湯温がポンプオン温度以上であると判断したときにポンプオン信号を出力し、循環ポンプのオン・オフ間欠運転を行わせるポンプ間欠運転制御部と；を有する構成をもって前記課題を解決する手段としている。
【００２１】
第２の発明は、給湯熱交換器の加熱燃焼を行う給湯バーナと、追い焚き熱交換器の加熱燃焼を行う風呂バーナと、前記給湯バーナと風呂バーナへ供給する燃料量を開弁量によって制御する共通の比例弁と、風呂バーナ燃焼を行う追い焚き時に風呂の湯水を追い焚き熱交換器を通し循環させる循環ポンプと、前記比例弁の開弁量制御やポンプ駆動の制御を行う制御装置とを備え、給湯バーナ燃焼と風呂バーナ燃焼が共に行われるときには給湯側を優先させ比例弁の開弁量制御を行う複合給湯器において、追い焚き熱交換器の出側の湯水の温度を検出する追い焚き熱交換器出側温度センサと；追い焚き熱交換器の結露発生直前の温度に対応した追い焚き熱交換器の出側のポンプオフ温度とこのポンプオフ温度より高い追い焚き熱交換器の出側のポンプオン温度が格納されるデータ格納部と；給湯バーナと風呂バーナの同時燃焼が行われているときに追い焚き熱交換器出側温度センサが検出した検出追い焚き熱交換器出側湯温と前記データ格納部に格納されている温度データを比較し、検出追い焚き熱交換器出側湯温がポンプオフ温度以下であると判断したときにポンプオフ信号を出力して風呂バーナの燃焼を継続したまま循環ポンプをオフさせ、その循環ポンプのオフ期間中に検出追い焚き熱交換器出側湯温がポンプオン温度以上であると判断したときにポンプオン信号を出力し、循環ポンプのオン・オフ間欠運転を行わせるポンプ間欠運転制御部と；風呂バーナ燃焼の追い焚き熱量を検出する追い焚き熱量検出部と；この追い焚き熱量検出部が検出した追い焚き熱量に基づいて追い焚き熱量が大きくなるに従ってポンプオン温度を下げる方向にポンプオン温度を可変設定し前記データ格納部に格納されているポンプオン温度を自動更新するポンプオン温度自動更新部と；を有する構成をもって前記課題を解決する手段としている。
【００２２】
第３の発明は、上記第１又は第２の発明を構成するポンプ間欠運転制御部から出力されるポンプオン信号の出力期間が時間によって予め与えられ、ポンプ間欠運転制御部はポンプオン信号を上記出力期間が経過するまで継続して出力し、その出力期間が経過したときにポンプオン信号からポンプオフ信号の出力に切り換える構成をもって前記課題を解決する手段としている。
【００２３】
第４の発明は、上記第３の発明の構成に加えて、風呂バーナ燃焼の追い焚き熱量を検出する追い焚き熱量検出部を備え、この追い焚き熱量検出部が検出した追い焚き熱量に基づいて追い焚き熱量が大きくなるに従ってポンプオン信号の出力期間を長くする方向にポンプオン信号の出力期間を可変設定して自動更新するポンプオン信号出力期間自動更新部を有する構成をもって前記課題を解決する手段としている。
【００２４】
第５の発明は、前記第１〜第４の発明のいずれか１つの発明の構成に加えて、循環ポンプ駆動による追い焚き熱交換器の流水を検出する流水検出センサと、該流水検出センサが流水オフを検出したときに風呂バーナの燃焼を停止させる風呂バーナ燃焼停止部とを有し、ポンプ間欠運転制御部によるポンプ間欠運転のオフ時に前記流水検出センサが流水オフを検出しても前記風呂バーナ燃焼停止部の風呂バーナ燃焼停止動作を阻止する燃焼停止動作阻止部を設けた構成をもって前記課題を解決する手段としている。
【００２５】
上記構成の発明において、例えば、給湯バーナと風呂バーナの同時燃焼時に、ポンプ間欠運転制御部は、追い焚き熱交換器出側温度センサが検出した検出追い焚き熱交換器出側湯温を取り込んで、この検出追い焚き熱交換器出側湯温と、データ格納部に格納されている温度データ（ポンプオン温度およびポンプオフ温度）とを比較し、循環ポンプのオン時に前記検出追い焚き熱交換器出側湯温がポンプオフ温度以下であると判断したときに、追い焚き熱交換器が結露発生の直前の状態にあると判断し、ポンプオフ信号を出力し、風呂バーナを燃焼させたまま循環ポンプをオフさせる。
【００２６】
その循環ポンプのオフ期間中に追い焚き熱交換器内に滞留した湯水は風呂バーナの燃焼の熱により加熱され湯温が上昇する。そして、ポンプ間欠運転制御部は、前記追い焚き熱交換器出側温度センサの検出湯温がポンプオン温度以上であると判断したときに、ポンプオン信号を出力し、循環ポンプをオンさせるという如く、循環ポンプのオン・オフ間欠運転を行わせる。
【００２７】
上記のように、給湯バーナと風呂バーナの同時燃焼時に、風呂バーナの燃焼能力が低下して追い焚き熱交換器の通水温が下がって追い焚き熱交換器の水管表面温度が低下し追い焚き熱交換器の水管表面に結露が発生し易い状態となったとき、つまり、追い焚き熱交換器出側温度センサの検出湯温が結露発生直前の温度に対応したポンプオフ温度以下となったときに、風呂バーナの燃焼を継続させたまま循環ポンプをオフさせることによって、追い焚き熱交換器に湯水が滞留し風呂バーナの燃焼の熱により前記滞留湯水が加熱されるので、追い焚き熱交換器内の湯水の温度が上昇し、追い焚き熱交換器の水管表面温度の低下が防止され、追い焚き熱交換器の結露発生が回避される。
【００２８】
また、流水検出センサが追い焚き熱交換器の流水オフを検出したときに風呂バーナの燃焼を停止させる機能を有した複合給湯器にポンプ間欠運転制御部を備える場合には、燃焼停止動作阻止部を設けることにより、ポンプ間欠運転制御部によるポンプ間欠運転のオフ時に流水検出センサが流水オフを検出しても、燃焼停止動作阻止部が風呂バーナの燃焼停止動作を阻止するので、風呂バーナの燃焼が停止されることなくポンプ間欠運転が行われ、前記の如く、追い焚き熱交換器の結露発生が回避される。
【００２９】
【発明の実施の形態】
以下に、本発明に係る実施の形態例を図面に基づいて説明する。なお、以下に説明する各実施の形態例の複合給湯器は、前記図７に示したシステム構成の複合給湯器を対象にしており、その重複説明は省略する。
【００３０】
図１には第１の実施の形態例において特徴的な追い焚き熱交換器結露防止機能を行うための制御構成が実線により示されており、この制御は制御装置56により行われている。制御装置56は燃焼制御部48とポンプ間欠運転制御部50とデータ格納部52を有して構成されている。
【００３１】
燃焼制御部48は、給湯モードや湯張りモードや追い焚きモードや保温モード等の器具の動作制御を行うもので、その制御構成は前述したのでその重複説明は省略する。
【００３２】
データ格納部52は記憶装置により構成されており、このデータ格納部52には、追い焚き熱交換器16の結露発生直前の温度に対応した追い焚き熱交換器16の出側のポンプオフ温度ＴOFF （例えば、40℃）と、このポンプオフ温度より予め設定された温度だけ高い追い焚き熱交換器16の出側のポンプオン温度ＴON（例えば、55℃）とが予め実験や演算等により求めた最適な値が格納されている。
【００３３】
ポンプ間欠運転制御部50はサンプリング部62と比較判断部63と信号出力部64を有して構成されている。サンプリング部62はタイマ（図示せず）を内蔵しており、前記燃焼制御部48の制御動作の情報から給湯バーナ５と風呂バーナ６が同時燃焼を行っていると検知した以降に、予め定めたサンプリング時間間隔（例えば１秒）毎に出側温度センサ44が検出した追い焚き熱交換器出側湯温ＴOUT をサンプリングし比較判断部63へ出力する。
【００３４】
比較判断部63は、給湯バーナ５と風呂バーナ６の同時燃焼時に、前記データ格納部52に格納されている温度データ（ポンプオフ温度ＴOFF とポンプオン温度ＴON）を読み出し、前記サンプリング部62から検出出側湯温ＴOUT を受ける度に、その出側湯温ＴOUT と前記温度データを比較する。そして、燃焼制御部48の制御動作により循環ポンプ23が駆動しているときに検出出側湯温ＴOUT がポンプオフ温度ＴOFF 以下である（ＴOUT ≦ＴOFF ）と判断したときには、給湯バーナ５と風呂バーナ６の同時燃焼に起因した風呂バーナ６の燃焼能力低下により、追い焚き熱交換器16の通水温が下がって追い焚き熱交換器16の水管表面温度が低くなり、追い焚き熱交換器16はその水管表面に結露が発生する直前の状態になっていると判断し、信号出力部64に循環ポンプ23へのポンプオフ信号および燃焼制御部48への風呂バーナ燃焼継続信号を出力させ、風呂バーナの燃焼を継続したままで循環ポンプ23をオフ（停止）させる。
【００３５】
この循環ポンプ23のオフ期間中に、追い焚き熱交換器16に滞留した湯は風呂バーナの燃焼の熱によって加熱され湯温が上昇していき、比較判断部63は、この循環ポンプ23のオフ期間中に、出側温度センサ44の検出出側湯温ＴOUT がポンプオン温度ＴON以上である（ＴOUT ≧ＴON）と判断したときに、追い焚き熱交換器16の滞留湯温の上昇と共に追い焚き熱交換器16の水管表面温度も上昇し、追い焚き熱交換器16の結露発生が回避されたと判断し、信号出力部64から循環ポンプ23へポンプオン信号を出力させ、循環ポンプ23を起動させる。
【００３６】
上記の如く、ポンプ間欠運転制御部50は、給湯バーナ５と風呂バーナ６の同時燃焼時に、風呂バーナ６の燃焼能力が低下して追い焚き熱交換器16の出側の湯温ＴOUT が追い焚き熱交換器16の結露発生直前の温度に対応するポンプオフ温度ＴOFF 以下であると判断したときに、風呂バーナ燃焼を継続させたままで循環ポンプ23をオフさせ、この循環ポンプ23のオフ期間に、追い焚き熱交換器16の出側の湯温ＴOUT がポンプオン温度ＴON以上であると判断したときに、循環ポンプ23をオンさせ、この循環ポンプ23のオン期間に、上記の如く、追い焚き熱交換器16の出側の湯温ＴOUT がポンプオフ温度ＴOFF 以下であると判断したときには、風呂バーナ燃焼を継続させたままで、再び循環ポンプ23をオフさせるという如く、循環ポンプ23にポンプオン・オフ間欠運転を行わせ、追い焚き熱交換器16の水管表面温度の低下を防止し、追い焚き熱交換器16の結露発生を回避する。
【００３７】
以下に、上記構成のポンプ間欠運転制御部50の動作例を図２のフローチャートに基づき簡単に説明する。まず、ステップ101 で、給湯バーナ５と風呂バーナ６の同時燃焼が開始されると、ポンプ間欠運転制御部50のサンプリング部62は、出側温度センサ44の検出出側温度ＴOUT を取り込み、ステップ102 で、比較判断部63はこの検出出側湯温ＴOUT がデータ格納部52に格納されているポンプオフ温度ＴOFF 以下であるか否かを判断する。検出出側湯温ＴOUT がポンプオフ温度ＴOFF 以下であると判断したときには、追い焚き熱交換器16が結露発生の直前の状態にあるので、ステップ103 で、風呂バーナ６の燃焼を継続させたまま、循環ポンプ23を停止させ、追い焚き熱交換器16内の湯温を上昇させ追い焚き熱交換器16の水管表面温度の低下を回避する。
【００３８】
ステップ104 で、サンプリング部62は、次の検出出側湯温ＴOUT を取り込み、比較判断部63はこの検出出側湯温ＴOUT がデータ格納部52に格納されているポンプオン温度ＴON以上であるか否かを判断し、検出出側湯温ＴOUT がポンプオン温度ＴON未満であったときには、ステップ106 で、循環ポンプ23の停止状態を継続させ、再びステップ104 の判断動作を行う。
【００３９】
そして、検出出側湯温ＴOUT がポンプオン温度ＴON以上であると判断したときには、追い焚き熱交換器16の結露発生が回避されたので、ステップ105 で、循環ポンプ23を起動させ、前記ステップ102 以降の動作を繰り返し行い、追い焚き熱交換器16の結露発生を確実に防止する。
【００４０】
この実施の形態例によれば、給湯バーナ５と風呂バーナ６の同時燃焼時に、出側温度センサ44の検出出側湯温ＴOUT がポンプオフ温度ＴOFF 以下であると判断したときに風呂バーナ６の燃焼を継続したままで循環ポンプ23をオフさせ、その循環ポンプ23のオフ期間中に、検出出側湯温ＴOUT がポンプオン温度ＴON以上であると判断したときに循環ポンプ23をオンさせ、循環ポンプ23のポンプ間欠運転を行わせる構成としたので、給湯バーナ５と風呂バーナ６の同時燃焼時の風呂バーナ６の燃焼能力低下に起因して追い焚き熱交換器16の水管表面温度が結露発生直前の温度まで低下したときに、上記の如く、風呂バーナ６の燃焼が継続されたままで循環ポンプ23がオフすることから、追い焚き熱交換器16に湯水が滞留し、その滞留湯水が風呂バーナ６の燃焼の熱により加熱され、追い焚き熱交換器16内の滞留湯温が上昇し、それに伴い追い焚き熱交換器16の水管表面温度も上昇し、追い焚き熱交換器16の結露発生を防止することができる。
【００４１】
また、上記の如く、追い焚き熱交換器16の結露を防止するために、循環ポンプ23をオン・オフさせるだけでよく、その循環ポンプ23のオン・オフ制御は簡単であるので、循環ポンプ23のオン・オフ間欠運転を制御するポンプ間欠運転制御部50の回路構成を簡易化することが可能である。さらに、循環ポンプ23の能力毎にそれぞれ対応するポンプ間欠運転制御部50の回路を用意する必要がなく、追い焚き熱交換器16の結露発生直前の温度に対応したポンプオフ温度ＴOFF と、このポンプオフ温度より高いポンプオン温度ＴONとをデータ格納部52に格納するだけで、追い焚き熱交換器16の結露を防止するためのポンプ間欠運転を行うことができるので、複数能力種のポンプ毎にポンプ間欠運転制御部50の回路を製造しなくて済み、回路のコストを低く抑えることが可能である。
【００４２】
以下に第２の実施の形態例を説明する。第２の実施の形態例が前記第１の実施の形態例と異なる特徴的なことは、図３の実線で示すように、制御装置56に追い焚き熱量検出部51とポンプオン温度自動更新部53を設け、ポンプオン温度ＴONを風呂バーナ燃焼の追い焚き熱量（風呂バーナ６の燃焼能力）が大きくなるに従って下げる方向に可変設定し、データ格納部52に格納されているポンプオン温度ＴONを自動更新する構成としたことであり、それ以外の構成は前記第１の実施の形態例と同様であり、その重複説明は省略する。
【００４３】
なお、図３では、燃焼制御部48、および、ポンプ間欠運転制御部50のサンプリング部62と比較判断部63と信号出力部64の図示を省略してある。
【００４４】
ところで、循環ポンプ23は、通常、起動してから通常の流量に立ち上がるまでに、例えば、約１分の時間がかかり、その通常の流量に立ち上がるまでの間、追い焚き熱交換器16の湯の流れは非常に緩やかである。そのため、ポンプ間欠運転制御部50が追い焚き熱交換器16の出側の湯温ＴOUT がポンプオン温度ＴONに達したと判断し、循環ポンプ23を起動させても、上記の如く、循環ポンプ23は瞬時に立ち上がらず、追い焚き熱交換器16の湯の流れは非常に緩やかで、風呂バーナ６の燃焼の熱によって追い焚き熱交換器16の湯温がポンプオン温度ＴONよりかなり高くなる。そのポンプオン温度ＴONからの湯温上昇分は追い焚き熱量が大きくなるに従って大きくなり、ポンプオン温度ＴONが高めに設定されていると、非常に高温の湯が追い焚き熱交換器16で作り出されることがあり、その高温の湯が浴槽21へ流れ出て、入浴者がいる場合には入浴者に火傷を負わせてしまうという問題が生じる虞がある。
【００４５】
そこで、この実施の形態例では、前記の如く、制御装置56に追い焚き熱量検出部51とポンプオン温度自動更新部53を設け、追い焚き熱量が大きくなるに従ってポンプオン温度ＴONを下げる方向に可変設定しデータ格納部52に格納されているポンプオン温度ＴONを自動更新し、ポンプ間欠運転制御部50によるポンプ間欠運転の循環ポンプ23のオン時に浴槽21への高温湯噴出を防止する構成とした。
【００４６】
周知のように、上記比例弁38の開弁量によって風呂バーナへのガス供給量を制御し風呂バーナ燃焼の追い焚き熱量を制御していることから、比例弁38の開弁量（比例弁電流）に基づき風呂バーナ燃焼の追い焚き熱量を間接的に検出することが可能である。このことから、追い焚き熱量検出部51は、給湯バーナ５と風呂バーナ６の同時燃焼中に、予め定めたサンプリング時間間隔（例えば、１秒間隔）毎に比例弁駆動部46から比例弁電流を検出し、この検出した比例弁電流を風呂バーナ燃焼の追い焚き熱量として検出し、ポンプオン温度自動更新部53へ出力する。なお、この追い焚き熱量検出部51にはサンプリング時間間隔を設定するタイマ（図示せず）が内蔵されている。
【００４７】
データ格納部52には、風呂バーナ燃焼の追い焚き熱量とポンプオン温度ＴONとの関係を示すＴON検出データが予め実験や演算等により求め格納されており、このＴON検出データは図４の（ａ）や（ｂ）に示すグラフデータや演算式データや表データ等で形成されている。なお、図４の（ａ）に示すように追い焚き熱量に対してポンプオン温度ＴONを連続的に与えてもよいし、図４の（ｂ）に示すように追い焚き熱量に対してポンプオン温度ＴONを段階的に与えてもよい。
【００４８】
ポンプオン温度自動更新部58は、給湯バーナ５と風呂バーナ６の同時燃焼時に、前記追い焚き熱量検出部51で検出された追い焚き熱量（比例弁電流）を受け取る度に、その追い焚き熱量と、前記データ格納部52に格納されているＴON検出データとに基づいて、追い焚き熱量が大きくなるに従ってポンプオン温度ＴONを下げる方向に可変設定し、データ格納部52のポンプオン温度ＴONを自動更新する。
【００４９】
この実施の形態例によれば、前記第１の実施の形態例の構成に加えて、風呂バーナ燃焼の追い焚き熱量が大きくなるに従ってポンプオン温度ＴONを可変設定しデータ格納部52のポンプオン温度ＴONを自動更新する構成としたので、風呂バーナが燃焼している状態でポンプ間欠運転制御部50により循環ポンプ23を起動させた循環ポンプ23の立ち上がり時に、追い焚き熱交換器16から流出する湯の湯温を追い焚き熱量の大小に拘わらず、浴槽21への高温湯噴出を避けたほぼ一定の湯温にすることが可能となり、浴槽21への高温の湯の噴出を防止することができる。また、追い焚き熱量が大きいほど排気温は高くなるが、排気温度が高いほど、同じ追い焚き熱交換器16から流出する湯の湯温でも結露しにくくなるので、この点でも追い焚き熱量に合わせてポンプＴONを可変することは好ましい。
【００５０】
以下に第３の実施の形態例を説明する。この実施の形態例において特徴的なことは、図１および図３の点線で示すように、制御装置56にタイマ58を設け、このタイマ58を用いてポンプ間欠運転制御部50から出力するポンプオン信号の出力時間を時間によって定め、ポンプ間欠運転制御部50はポンプオン信号を予め定めた出力期間が経過するまで継続して出力し、その出力期間が経過したときにポンプオン信号からポンプオフ信号の出力に切り換える構成としたことである。それ以外の構成は前記各実施の形態例同様であり、その重複説明は省略する。
【００５１】
ところで、前記したように給湯バーナ５と風呂バーナ６の同時燃焼時には給湯バーナ燃焼を優先させ比例弁38の開弁量制御が行われており、給湯バーナ５の燃焼能力を下げる方向に比例弁38の開弁量が絞られると、必然的に、風呂バーナ６の燃焼能力（追い焚き熱量）が低下する。この状態で、ポンプ間欠運転制御部50によりポンプ間欠運転が行われているときには、ポンプ間欠運転制御部50による循環ポンプ23のオフ期間に追い焚き熱交換器16内の湯温が上昇しても、循環ポンプ23がオンし時間が経過すると共に追い焚き熱交換器16内の湯温は徐々に低下していく。
【００５２】
そこで、この実施の形態例では、その湯温低下を考慮し、前記ポンプオン信号の出力期間は、循環ポンプ23が起動してから出力期間を経過したときに、例えば、追い焚き熱交換器16の出側の湯温が前記ポンプオフ温度（結露発生直前の温度）ＴOFF より低下しないように時間により設定され（例えば、５分）、タイマ58に与えられる。
【００５３】
タイマ58はタイマ駆動してから上記出力期間が経過したときにタイムアップ信号をポンプ間欠運転制御部50へ出力する構成を有している。
【００５４】
ポンプ間欠運転制御部50は、ポンプオン信号の出力時に、タイマ58を起動させ、前記ポンプオン信号の出力期間が経過するまで、つまり、タイマ58からタイムアップ信号を受けるまで、ポンプオン信号を継続して出力し、タイムアップ信号を受けると同時にポンプオン信号からポンプオフ信号の出力に切り換える構成とした。
【００５５】
この実施の形態例によれば、前記各実施の形態例同様に追い焚き熱交換器16の結露を防止する等の優れた効果を奏することができる。
【００５６】
以下に第４の実施の形態例を説明する。この第４の実施の形態例が前記第３の実施の形態例と異なる特徴的なことは、図５に示すように、追い焚き熱量検出部51とポンプオン信号出力期間自動更新部である出力期間自動更新部54を設け、追い焚き熱量が大きくなるに従ってポンプオン信号の出力期間を長くする方向に可変設定して自動更新する構成としたことであり、それ以外の構成は前記第３の実施の形態例同様であり、その重複説明は省略する。また、図５では前記各実施の形態例と重複する部分の構成要素（図１に示すサンプリング部62、比較判断部63、信号出力部64、燃焼制御部48、図３に示すポンプオン温度自動更新部53）の図示は省略してある。
【００５７】
なお、上記追い焚き熱量検出部51は前記第２の実施の形態例に示した追い焚き熱量検出部51と同一構成であり、前記第２の実施の形態例同様にポンプオン温度ＴONを可変設定し自動更新するために追い焚き熱量検出部51を設ける場合には、当然に、このポンプオン温度可変設定用の追い焚き熱量検出部51と別個に図５に示すポンプオン信号の出力期間可変設定用の追い焚き熱量検出部51を設ける必要はない。
【００５８】
ところで、前述したように、給湯バーナ５と風呂バーナ６の同時燃焼に起因して風呂バーナ６の燃焼能力が低下している状態では追い焚き熱交換器16の通水温は時間と共に低下するが、その通水温の下がり方（傾き）は追い焚き熱量が大きくなるに従って緩やかになることから、この実施の形態例では、追い焚き熱量が大きくなるに従って循環ポンプ23のオン期間を長くしても追い焚き熱交換器16の結露発生防止が達成されることに着目し、上記の如く、追い焚き熱量が大きくなるに従ってポンプオン信号の出力期間を長くする方向に可変設定して自動更新する構成とした。
【００５９】
データ格納部52には、ポンプオン信号の出力期間と追い焚き熱量（比例弁電流）との関係を示す出力期間検出データが予め実験や演算等により求め格納されている。この出力期間検出データは図８の（ａ）や（ｂ）に示すグラフデータや演算式データや表データ等で形成されている。なお、図８の（ａ）に示すように追い焚き熱量に対して出力期間を連続的に与えてもよいし、図８の（ｂ）に示すように追い焚き熱量に対して出力期間を段階的に与えてもよい。
【００６０】
出力期間自動更新部54は、給湯バーナ５と風呂バーナ６の同時燃焼時に、追い焚き熱量検出部51から送り出された風呂バーナ燃焼の追い焚き熱量を受け取り、この検出追い焚き熱量と、前記データ格納部52に格納されている出力期間検出データとに基づいて、ポンプオン信号の出力期間を可変設定し、タイマ58の出力期間を自動更新する。
【００６１】
この実施の形態例によれば、前記各実施の形態例の構成に加えて、追い焚き熱量が大きくなるに従ってポンプオン信号の出力期間を可変設定し自動更新する構成としたので、前記各実施の形態例同様の優れた効果を奏することができるのはもちろんのこと、次のような効果を得ることができる。
【００６２】
前記第３の実施の形態例で示したように、追い焚き熱量の大小に関係なく、一定のポンプオン信号の出力期間が与えられるときには、追い焚き熱量が大きく上記一定の出力期間より長く循環ポンプ23をオンさせても追い焚き熱交換器16の結露防止を達成できるのに、循環ポンプ23が早くオフしてしまい、風呂の追い焚きが早く中断されてしまうという無駄が生じ、風呂が沸き上がるまでに時間が多くかかってしまうが、この実施の形態例で示したように、追い焚き熱量に応じてポンプオン信号の最適長さ（時間）の出力期間を可変設定することによって、追い焚き熱交換器16の結露防止が達成できるのはもちろんのこと、追い焚き熱量が大きくなるに従って循環ポンプ23のオン期間が長くなり、追い焚き熱量が大きいときには追い焚き熱量が小さいときよりも風呂を早く沸かすことができ、効率良く追い焚きを行うことができる。
【００６３】
以下に、第５の実施の形態例を説明する。第５の実施の形態例は、風呂の追い焚き中に、追い焚き循環路25の流水検出センサ28が流水を検出しなくなったときに風呂バーナ６の燃焼を停止させて空焚きを防止する空焚き防止機能を備えた複合給湯器に適用するものである。上記空焚き防止機能を備えた複合給湯器（器具）で前記各実施の形態例のように追い焚き熱交換器16の結露防止のためのポンプ間欠運転を行わせようとすると、間欠運転のオフ時に流水検出センサ28が流水を検出しなくなり、空焚き防止機能が動作して風呂バーナ６の燃焼が停止してしまい、循環ポンプ23の間欠運転を円滑に行うことができない。
【００６４】
そこで、この実施の形態例では、上記空焚き防止機能を備えた器具でも循環ポンプ23の間欠運転を円滑に行わせるための制御装置を設けたことを特徴とし、その制御装置56の一例を図６に示す。この制御装置56はポンプ間欠運転制御部50と風呂バーナ燃焼停止部60と燃焼停止動作阻止部61を有して構成されており、それ以外の構成は前記各実施の形態例同様であり、その重複説明は省略する。
【００６５】
風呂バーナ燃焼停止部60は、風呂の追い焚き中（風呂バーナ６の燃焼中）に、流水検出センサ28の流水オン信号の出力が停止したとき、つまり、流水検出センサ28が流水オフを検出したときには、風呂側ガス開閉弁40あるいは元電磁弁37を閉弁させ風呂バーナ６へのガス供給をストップさせて風呂バーナ６の燃焼を停止させる回路構成を有し、空焚きを防止している。
【００６６】
ポンプ間欠運転制御部50は、給湯バーナ５と風呂バーナ６の同時燃焼時に、前記各実施の形態例で示したように、ポンプオフ信号とポンプオン信号を交互に循環ポンプ23へ出力しているときには、それら信号の出力と共に、ポンプ間欠運転信号を燃焼停止動作阻止部61へ出力する構成を有している。
【００６７】
なお、ポンプ間欠運転制御部50から出力するポンプオフ信号とポンプオン信号の出力構成は前記第１〜第４の各実施の形態例で示した構成のうち、どの構成で形成してもよく、その説明は省略する。
【００６８】
燃焼停止動作阻止部61は、前記ポンプ間欠運転制御部50のポンプ間欠運転信号を受けている間、前記ポンプ間欠運転制御部50による循環ポンプ23の間欠運転を円滑に行わせるために、風呂バーナ燃焼停止部60の風呂バーナ６の燃焼停止動作を阻止する。
【００６９】
この実施の形態例によれば、風呂の追い焚き中に追い焚き循環路25の流水検出センサ28が流水オフを検出したときに風呂バーナ６の燃焼を停止させる空焚き防止機能を備えた器具にポンプ間欠運転制御部50を設け、このポンプ間欠運転制御部50による循環ポンプ23の間欠運転により追い焚き熱交換器16の結露発生を防止すると共に、燃焼停止動作阻止部61を設けて循環ポンプ23の間欠運転のオフ時に風呂バーナ６の燃焼停止動作を阻止する構成としたので、循環ポンプ23の間欠運転が行われているときには、前記間欠運転のオフ時に流水検出センサ28が流水オフを検出しても、風呂バーナ６の燃焼は停止せず、循環ポンプ23の間欠運転を円滑に行うことができる。
【００７０】
なお、本発明は上記各実施の形態例に限定されるものではなく、様々な実施の形態を採り得る。例えば、上記各実施の形態例に示した追い焚き熱量検出部51は、比例弁電流を追い焚き熱量として検出していたが、例えば、ガス供給通路36のガス流量が多くなるに従って風呂バーナ６の燃焼能力（追い焚き熱量）が増大するという如く、ガス供給通路36のガス流量は風呂バーナ６の燃焼能力に対応するものであるので、ガス供給通路36にガス流量を検出するガス流量検出センサを設け、このガス流量検出センサが検出したガス流量を追い焚き熱量として検出するようにしてもよいし、風呂バーナ６の燃焼能力が大きくなるとその燃焼能力にマッチングするように風呂バーナ６への風量が増加制御されるので、燃焼ファン８の回転数やファン風量は風呂バーナ６の燃焼能力に対応するものであることから、ファン回転数検出センサ17やファン風量検出センサ45のセンサ出力を追い焚き熱量として検出するようにしてもよいし、燃焼制御部48から追い焚き熱量の情報を直接的に取り込んでもよいし、追い焚き熱交換器16の入側の入水温ＴINと、出側の湯温ＴOUT と、追い焚き熱交換器16の流量（循環ポンプ23の予め定まる流量）Ｑと、次式（１）とに基づき、風呂バーナ６の燃焼により追い焚き熱交換器16の通水が受け取る熱量Ｊ、つまり、追い焚き熱量を直接的に演算検出するようにしてもよい。
【００７１】
Ｊ＝（ＴOUT −ＴIN）・Ｑ・Ｃ・・・・・（１）
【００７２】
ただし、上式（１）に示すＣは定数で水の比熱が与えられる。
【００７３】
上式（１）に示すＴOUT に追い焚き熱交換器16の出側湯温を検出する出側温度センサ44の検出湯温を、ＴINに追い焚き熱交換器16の入側湯温を検出する風呂温度センサ24の検出湯温を、Ｑに循環ポンプ23の予め定まる流量をそれぞれ代入し式（１）に従って演算を行って、追い焚き熱量を検出することができる。
【００７４】
上記の如く、比例弁電流以外のものを追い焚き熱量として間接的に検出する、あるいは、追い焚き熱量を直接的に検出する場合には、前記第２の実施例に示したＴON検出データは比例弁電流に代わる上記追い焚き熱量とポンプオン温度との関係を示す関係データで構成され、また、前記第４の実施の形態例に示した出力期間検出データは、比例弁電流に代わる上記追い焚き熱量とポンプオン信号の出力期間との関係を示す関係データで構成されることになる。
【００７５】
また、上記各実施の形態例では、燃焼制御部48の制御動作の情報から給湯バーナ５と風呂バーナ６の同時燃焼を検知するようにしていたが、例えば、給湯バーナ５と風呂バーナ６の各燃焼面の上方側に配設され燃焼火炎を検知するフレームロッド電極（図示せず）を用いて給湯バーナ５と風呂バーナ６の同時燃焼を検知するようにしてもよい。
【００７６】
さらに、前記各実施の形態例に示した追い焚き熱量検出部51は比例弁電流を検出し追い焚き熱量の情報としてポンプオン温度自動更新部53あるいは出力期間自動更新部54へ出力していたが、ポンプ間欠運転制御部50のサンプリング部62が比例弁電流を検出しポンプオン温度自動更新部53あるいは出力期間自動更新部54へ出力するようにしてもよく、この場合には、追い焚き熱量検出部51を省略することができる。
【００７７】
さらに、上記各実施の形態例は図７に示す複合給湯器を例にして説明したが、本発明は給湯バーナ５と風呂バーナ６を有し、給湯バーナ５と風呂バーナ６に対して共通の比例弁38を備えた複合給湯器であればよく、図７に示した構成の複合給湯器に限定されるものではない。
【００７８】
【発明の効果】
この発明によれば、ポンプ間欠運転制御部を設け、このポンプ間欠運転制御部が、給湯バーナと風呂バーナの同時燃焼時に、追い焚き熱交換器出側湯温が追い焚き熱交換器の結露発生直前温度に対応しているポンプオフ温度以下であると判断したときに、風呂バーナ燃焼を継続したままで循環ポンプをオフさせ、その循環ポンプのオフ期間中に追い焚き熱交換器出側湯温がポンプオン温度以上であると判断したときに循環ポンプをオンさせる構成としたので、給湯バーナと風呂バーナの同時燃焼に起因した風呂バーナの燃焼能力低下により追い焚き熱交換器の出側湯温がポンプオフ温度まで低下したときに、風呂バーナ燃焼が継続したまま循環ポンプがオフし追い焚き熱交換器に湯が滞留することになり、この循環ポンプのオフ期間中に、追い焚き熱交換器の滞留湯の湯温が風呂バーナ燃焼の熱により上昇し、追い焚き熱交換器の水管表面温度が上昇し、追い焚き熱交換器の結露発生を防止することができる。
【００７９】
そして、追い焚き熱交換器の湯がポンプオン温度に達した後に、循環ポンプをオンさせ、追い焚き熱交換器から浴槽へ湯を戻し、風呂の追い焚きを行う。この循環ポンプのオン期間中に、例えば、上記の如く、風呂バーナの燃焼能力不足により追い焚き熱交換器出側湯温が再びポンプオフ温度以下に低下してしまったときには、再び循環ポンプをオフさせる。このように、風呂バーナ燃焼を継続したままで循環ポンプのオン・オフ間欠運転を行うことによって、追い焚き熱交換器の結露防止を行いながら風呂の追い焚きを行うことができる。
【００８０】
また、上記の如く、この発明は、ポンプの間欠運転を行って、追い焚き熱交換器の結露発生を防止する構成を有しており、上記ポンプの間欠運転を行うためのポンプのオン・オフ制御は簡単に行うことができることから、ポンプ間欠運転制御部の回路構成を簡易化することが可能である。さらに、ポンプの能力毎にそれぞれ対応するポンプ間欠運転制御部の回路を用意する必要がなく、データ格納部にポンプオフ温度とポンプオン温度を格納するだけでポンプ間欠運転を行わせることができるので、複数の能力種のポンプ毎にポンプ間欠運転制御部の回路を製造しなくて済み、回路のコストを低く抑えることができる。
【００８１】
追い焚き熱量が大きくなるに従ってポンプオン温度を下げる方向にポンプオン温度を可変設定しデータ格納部のポンプオン温度を自動更新する構成にあっては、追い焚き熱量の大小に拘わらず、ポンプ間欠運転による循環ポンプのオン時に浴槽へ噴出する湯の湯温を浴槽への高温湯噴出を避けたほぼ一定の湯温にすることができ、ポンプ間欠運転の循環ポンプのオン時に浴槽へ高温湯が噴出するのを防止することができ、高温湯の噴出による危険を確実に回避することが可能である。
【００８２】
ポンプ間欠運転制御部から出力されるポンプオン信号の出力期間を追い焚き熱量が大きくなるに従って長くする方向に可変設定して自動更新する構成にあっては、追い焚き熱量が大きくなるに従って循環ポンプのオン期間が長くなるので、追い焚き熱交換器の結露防止を行いながら、追い焚き熱量が大きいときには追い焚き熱量が小さいときよりも早く風呂を沸かすことができ、効率良く追い焚きを行うことができる。
【００８３】
さらに、流水検出センサが風呂の追い焚き流水のオフを検出したときに風呂バーナの燃焼を停止させる風呂バーナ燃焼停止部を有し、ポンプ間欠運転制御部と風呂バーナ燃焼停止動作阻止部を設けたものにあっては、ポンプ間欠運転制御部によるポンプ間欠運転のオフ時に流水検出センサが流水オフを検出しても風呂バーナ燃焼停止動作阻止部が風呂バーナ燃焼停止部の風呂バーナ燃焼停止動作を阻止するので、風呂バーナの燃焼が停止してしまうことなく、ポンプの間欠運転を円滑に行うことができ、追い焚き熱交換器の結露を防止することができる。
【図面の簡単な説明】
【図１】本発明の複合給湯器において特徴的な制御装置における第１の実施の形態例を示すブロック構成図である。
【図２】図１に示す制御装置における追い焚き熱交換器の結露防止動作の一例を示すフローチャートである。
【図３】第２の実施の形態例を示すブロック構成図である。
【図４】ポンプオン温度と追い焚き熱量の関係の一例を示すグラフである。
【図５】第４の実施の形態例を示すブロック構成図である。
【図６】空焚き防止機能を備えた複合給湯器にポンプの間欠運転を行わせる制御構成の一例を示すブロック図である。
【図７】給湯バーナと風呂バーナに共通の比例弁が設けられている複合給湯器の一例を示す説明図である。
【図８】ポンプオン信号の出力期間と追い焚き熱量の関係の一例を示すグラフである。
【符号の説明】
１  器具
５  給湯バーナ
６  風呂バーナ
16  追い焚き熱交換器
23  循環ポンプ
28  流水検出センサ
38  比例弁
44  出側温度センサ
50  ポンプ間欠運転制御部
51  追い焚き熱量検出部
52  データ格納部
53  ポンプオン温度自動更新部
54  出力期間自動更新部
56  制御装置
60  風呂バーナ燃焼停止部
61  燃焼停止動作阻止部
【図１】
0003776981.tif 000002
【図２】
0003776981.tif 000003
【図３】
0003776981.tif 000004
【図４】
0003776981.tif 000005
【図５】
0003776981.tif 000006
【図６】
0003776981.tif 000007
【図７】
0003776981.tif 000008
【図８】
0003776981.tif 000009